(57)【要約】  エアゾール容器の内容物噴射用ガスの圧力変化にかかわらず内容物噴射量の一定化を図る流量調整機構を、ユニット構造にする。  外側鞘状部１５，内側鞘状部１６，ピストン部材１７，１８，コイルスプリング２５および噴射用ピース１９からなる流量レギュレータユニットを構成している。内容物は、概略「孔部１５ａ−外側通路用環状空間域２１−孔部１６ａ−内側通路用環状空間域２２−孔部１７ｂ，１８ｂ−内部通路１８ｃ−弁作用域２０−貫通部１６ｄ−溝状部１６ｆ，１９ａ−噴射孔１９ｃ」の経路により噴射される。作動モードのピストン部材１７，１８は噴射用ガス圧力によって右方向への力を受ける。この力とコイルスプリング２５の左方向への付勢力との大小関係に基づいて環状スカート部１７ａが左右方向に移動し、これにより流量調整用孔部１６ａから内側通路用環状空間域２２への流入用断面積が変化する。【特許請求の範囲】
【請求項１】
内容物通路を備え、エアゾール容器からの内容物噴射用ガスの圧力に基づいて移動するピストン部材と、
前記ピストン部材を収納して当該部材が移動できる内部空間，エアゾール容器の内容物を当該ピストン部材との間の流量調整用空間域に流入させるための孔部および、当該ピストン部材に対する受け部分を備えた保持部と、
前記ピストン部材と前記受け部分との間に設定されて当該ピストン部材を所定方向に付勢する弾性部材と、
を有していることを特徴とする流量レギュレータユニット。
【請求項２】
前記保持部は、エアゾール容器のステムへの取付け部分を備えている、
ことを特徴とする請求項１記載の流量レギュレータユニット。
【請求項３】
前記保持部は、エアゾール容器のハウジングへの取付け部分を備えている、
ことを特徴とする請求項１記載の流量レギュレータユニット。
【請求項４】
請求項１乃至３記載の流量レギュレータユニットを備え、かつ、噴射用ガスおよび内容物を収容したエアゾール式製品。
【発明の詳細な説明】
【技術分野】
【０００１】
本発明は、内容物噴射用ガスの圧力変化に対応した流量調整機能を持つレギュレータユニットに関し、特にエアゾール容器の操作ボタン用の流量レギュレータユニットおよびハウジング用の流量レギュレータユニットに関する。【０００２】
エアゾール容器で用いられる内容物噴射用ガスの圧力は、
(11)圧縮ガスの場合、エアゾール容器中の当該ガスの占有容積（≒容器全体の実容積−残留内容物の占有容積）に応じて変化し、
(12)液化ガスの場合、エアゾール式製品の使用環境の温度によって変化する。【０００３】
なお、本明細書では、操作ボタンの内容物噴射孔側を「前」、この噴射孔とは反対側を「後」という。
【背景技術】
【０００４】
本件出願人は、内容物噴射用ガスの圧力変化対応の流量調整機能を備えた操作ボタンをすでに提案している。（後述の特許文献１，特許文献２参照）【０００５】
この操作ボタンにおける流量調整機構は、概略、
(21)操作ボタンのボディ（筐体）
(22)当該ボディに取り付けられて、ステムからの流入内容物の通路用空間域の大きさ（内容物通過用断面積）を調整するために前後方向の深さを変化させた凹状部や、同じく調整用の孔部を形成したシリンダ
(23)当該シリンダの内部に配置され、この凹状部や孔部に対して前後方向に移動する鞘状のピストン部材
(24)当該ピストン部材を前方向に付勢するため、当該ピストン部材と当該ボディとの間に設定されたコイルスプリング
(25)当該通路用空間域を通過した内容物の噴射用ピース
などの基本的な構成要素からなっている。【０００６】
流量調整用のピストン部材は、コイルスプリングの弾性力と、自らが受ける噴射用ガス圧力との大小関係に基づいて前後方向に移動することにより、内容物の通路用空間域の流入用断面積を変化させる。【０００７】
ピストン部材は流入内容物の噴射用ガス圧力によって全体として後方への力を受け、当該後方へのガス圧力がコイルスプリングの前方向への付勢力よりも強くなると、ピストン部材は後方に移動する。【０００８】
ピストン部材の後方への移動にともない、通路用空間域の内容物流入用断面積が小さくなってピストン部材への流入内容物の量も少なくなる。すなわちピストン部材に対する後方へのガス圧力が弱くなる。【０００９】
その結果、コイルスプリングの付勢力が当該ガス圧力に打ち勝ってピストン部材は前方へと移動する。【００１０】
この前方への移動により通路用空間域の内容物流入用断面積が再び大きくなって、ピストン部材に十分な内容物が流入し、動作開始時と同じように、ピストン部材は噴射用ガスに基づく押圧力で後方へと移動する。【００１１】
操作ボタンを押圧している作動モードではピストン部材のこの前後方向への移動が繰り返される。【００１２】
このように作動モードでは内容物噴射用ガスの圧力の変化に応じて、
(31)噴射用ガス圧力が強い場合には、ピストン部材がその前方位置から後方位置への移動所要時間（≒内容物がピストン部材の内空間部に新たに流入する時間幅）を短くし、
(32)噴射用ガス圧力が弱くなった場合には、ピストン部材の当該移動所要時間を長くしている。【００１３】
すなわち、この噴射用ガス圧力が弱いときには、各時点における通路用空間域の実流入断面積をいわば時間で積分した形の合計流入断面積が大きくなるように設定している。【００１４】
使用初期のように容器本体内部の内容物噴射用ガス圧力が高いとき（８Kg／cm2）は、
(41)ピストン部材は当該ガス圧力に基づく後方への大きな力を受け、
(42)ピストン部材の後方への移動速度が速い、
ので、通路用空間域の内容物流入用断面積が「大きい」状態のときの時間割合が小さくなる。【００１５】
一方、エアゾール式製品の使用にともない容器本体内部の内容物噴射用ガス圧力が低くなる（例えば３Kg／cm2）と、上記高ガス圧力のときに比べて、
(51)ピストン部材は当該ガス圧力によって後方へ受ける力も小さく、
(52)ピストン部材の後方への移動速度が遅くなる、
ので、通路用空間域の内容物流入用断面積が「大きい」状態のときの時間割合が大きくなる。【００１６】
なお、コイルスプリングによるピストン部材の前方への移動速度は容器本体内部の内容物噴射用ガス圧力の高低にかかわらず略同一である。【００１７】
したがって、通路用空間域における単位時間あたりの内容物流入用断面積が容器本体内部の内容物噴射用ガス圧力の変化によって自動調整されるので、エアゾール式製品の内容物噴射量の安定化を図ることができる。
【特許文献１】特開２００４−１３６２１２号公報
【特許文献２】特開２００４−３１３８４１号公報
【発明の開示】
【発明が解決しようとする課題】
【００１８】
以上の流量調整機能を持つ操作ボタンは、このように、内容物噴射用ガスの圧力が変化しても単位時間あたりの内容物噴射量を略一定にできるといった、利便性を有するものである。【００１９】
また、内容物流入量調整部の動作をより十全なものとし、かつ、当該調整部およびこれに対応のシリンダなどの内周面の劣化を防止できるという利点も有している。（特許文献２参照）【００２０】
ただ、構成要素の１つであるコイルスプリングを操作ボタンのボディ（筐体）の一部で受けているため、当該ボディを必ず取り込んだ形の流量調整機構とならざるを得す、この点で、上述の流量調整機能を備えた操作ボタンは改善の余地を有している。【００２１】
本発明では、コイルスプリングの受け部をピストン部材の収納側（＝上記特許文献におけるシリンダ側）に新たに設けて、流量調整機構の全体を操作ボタンから独立した形のユニット構造とし、これにより異なるタイプの任意の操作ボタン、例えば別々のデザインを表面部分に形成した操作ボタンへ適用できるようにすることを目的とする。【００２２】
また、流量レギュレータのユニット形態での取り扱いを可能とし、流量調整機構の管理，試験などにおける利便化を図ることを目的とする。【００２３】
また、操作ボタン用の流量レギュレータユニットと共通する構成要素を用いたハウジング用の流量レギュレータユニットも提供して、流量調整機構の適用対象の豊富化とともに当該機構の製造コストの低減化を図ることを目的とする。
【課題を解決するための手段】
【００２４】
本発明は、以上の課題を次のようにして解決する。
（１）流量レギュレータユニットを、
内容物通路（例えば後述の孔部１７ｂ，１８ｂ，内部通過域１８ｃ）を備え、エアゾール容器からの内容物噴射用ガスの圧力に基づいて移動するピストン部材（例えば後述の筒状ピストン部材１７，鞘状ピストン部材１８）と、
前記ピストン部材を収納して当該部材が移動できる内部空間（例えば後述の内側鞘状部１６，筒状案内部３２の内部空間），エアゾール容器の内容物を当該ピストン部材との間の流量調整用空間域に流入させるための孔部（例えば後述の孔部１５ａ，調整用孔部１６ａ,３２ａ）および、当該ピストン部材に対する受け部分を備えた保持部（例えば後述の外側鞘状部１５，内側鞘状部１６，筒状案内部３２，鞘状保持部３４）と、
前記ピストン部材と前記受け部分との間に設定されて当該ピストン部材を所定方向に付勢する弾性部材（例えば後述のコイルスプリング２５）と、
を含む態様で構成する。
（２）上記（１）において、前記保持部に、エアゾール容器のステムへの取付け部分（例えば後述の嵌合保持部分１５ｂ）を設ける。
（３）上記（１）において、前記保持部に、エアゾール容器のハウジングへの取付け部分（例えば後述の嵌合保持部分３２ｆ）を設ける。【００２５】
本発明は、以上の特徴を持つ流量レギュレータユニットに加えて、このユニットを備えたエアゾール式製品も対象にしている。
【発明の効果】
【００２６】
本発明は、流量調整機構の全体を操作ボタンから独立した形のユニット構造としているので、異なるタイプの任意の操作ボタン、例えば別々のデザインを表面部分に形成した対応サイズの操作ボタンへ適用することができる。【００２７】
また、流量レギュレータのユニット形態での取り扱いを可能とし、流量調整機構の管理，試験などを行う上での利便化を図ることができる。【００２８】
また、操作ボタン用の流量レギュレータユニットと共通する構成要素を用いたハウジング用の流量レギュレータユニットも提供しているので、流量調整機構の適用対象の豊富化とともに当該機構の製造コストの低減化を図ることができる。
【図面の簡単な説明】
【００２９】
【図１】図１は流量レギュレータユニットを備えた操作ボタンの作動モード開始時を示す説明図である。（実施例１）
【図２】図２は図１の作動モードにおいてピストン部材が後退した状態を示す説明図である。（実施例１）
【図３】図３は図１の流量レギュレータユニットの内側鞘状部１６を上からみた状態を示す説明図である。（実施例１）
【図４】図４は流量レギュレータユニットを備えたハウジングの作動モード開始時を示す説明図である。（実施例２）
【図５】図５は図４の作動モードにおいてピストン部材が後退した状態を示す説明図である。（実施例２）
【符号の説明】
【００３０】
以下の各図において、アルファベット付き参照番号が示す構成要素（例えば図１，図２の内容物通過用の孔部１５ａ）は、原則としてアルファベットなしの参照番号のそれ（例えば同図の外側鞘状部１５）の一部である。
【００３１】
１１    操作ボタンを構成する筐体
１１ａ    天井面に形成されて後述の外側鞘状部１５の上側部分を保持するリブ
１２    各種の内容物や噴射用ガスを収納した容器本体（マウンティングキャップ）
１３    当該マウンティングキャップに固定されたハウジング
１４    当該ハウジングに収容されて周知の弁作用部を構成し、操作ボタンと図示上下方向に連動するステム
１５    当該ステムと嵌合して上側部分および後側部分がそれぞれ筐体１１のリブ１１ａおよび後側内周面に位置決めされる外側鞘状部
１５ａ    内容物通過用の孔部
１５ｂ    ステム１４の嵌合保持部分
１６    外側鞘状部１５と嵌合して後述の外側通路用環状空間域２１を形成する内側鞘状部
１６ａ    内容物流入量の調整用孔部
１６ｂ    当該調整用孔部の出力側開口部
１６ｃ    当該内側鞘状部の前方側の一部であって鞘状ピストン部材１８との間の弁作用を呈する受け部
１６ｄ    当該鞘状受け部のいわば基部領域の周方向に間歇的に形成された内容物通過用の貫通部
１６ｅ    当該鞘状受け部の周りに形成された環状凹部
１６ｆ    当該環状凹部の周面の略前後方向に形成された内容物通過用の溝状部
１７    内側鞘状部１６および後述の筒状案内部３２（図４，図５）の内周面にそれぞれ案内されながら図１の左右方向，図４の上下方向に移動する筒状ピストン部材
１７ａ    流入量調整用・被ガイド用の（図１の左側，図４の上側の）第１の環状スカート部
１７ｂ    内容物通過用の孔部
１７ｃ    被ガイド・シール用の（図１の右側，図４の下側の）第２の環状スカート部
１８    筒状ピストン部材１７の内周面と嵌合した態様で、内側鞘状部１６および後述の筒状案内部３２（図４，図５）の内周面にそれぞれ案内されながら図１の左右方向，図４の上下方向に移動する鞘状ピストン部材
１８ａ    被ガイド・シール用の環状スカート部
１８ｂ    内容物通過用の孔部
１８ｃ    当該孔部に続く内容物通過用の内部通路域
１９    内側鞘状部１６の環状凹部１６ｅに嵌合して保持される鞘状の噴射用ピース
１９ａ    当該噴射用ピースの底面部分にその径方向に間歇的に形成された内容物通過用の溝状部
１９ｂ    当該溝状部の下流側に続く態様で当該底面部分の中央に形成された凹状部
１９ｃ    当該凹状部の下流側に続く噴射孔
２０    内側鞘状部１６の鞘状受け部１６ｃと鞘状ピストン部材１８の前端部分との間に設定される弁作用域
２１    外側鞘状部１５と内側鞘状部１６との間に設定される外側通路用環状空間域
２２    内側鞘状部１６の出力側開口部１６ｂから筒状ピストン部材１７の孔部１７ｂにいたる内側通路用環状空間域
２３    内側鞘状部１６の出力側開口部１６ｂに続く態様で筒状ピストン部材１７および鞘状ピストン部材１８と当該内側鞘状部との間に設定される第１のバッファ用環状空間域
２３ａ    筒状ピストン部材１７の第１の環状スカート部１７ａの内側部分を形成するポケット域
２３ｂ    鞘状ピストン部材１８の環状スカート部１８ａの内側部分を形成するポケット域
２４    内側通路用環状空間域２２に続く態様で内側鞘状部１６と筒状ピストン部材１７との間に設定される第２のバッファ用環状空間域
２５    筒状ピストン部材１７および鞘状ピストン部材１８を図１の左側，図４の下側の各方向に付勢するコイルスプリング
【００３２】
以下の符号は図４および図５のみで用いる。
３１    容器本体１２に固定されたハウジング
３１ａ    下部側の筒状部分
３２    当該筒状部分に嵌合し、筒状ピストン部材１７および鞘状ピストン部材１８のガイド部分や内容物の通路として作用する筒状案内部
３２ａ    内容物流入量の調整用孔部
３２ｂ    当該調整用孔部の出力側開口部
３２ｃ    当該筒状案内部の内周面部分の環状方向に間歇的に形成されて筒状ピストン部材１７および鞘状ピストン部材１８の上動位置を規制する凸状段部
３２ｄ    当該凸状段部に囲まれた中央貫通域
３２ｅ    当該筒状案内部の外周面部分に形成されたスカート部分
３２ｆ    ハウジング３１の筒状部分３１ａの嵌合保持部分
３３    当該スカート部分に嵌合して後述の鞘状保持部３４などを収容する筒状保持部
３３ａ    下部側の筒状部分
３３ｂ    当該筒状部分に続く底面に形成された内容物通過用の孔部
３３ｃ    当該底面に続く内周面の上下方向に形成されて後述の鞘状保持部３４を挟持するなどのための複数の縦リブ
３４    筒状保持部３３の内部に嵌合して筒状ピストン部材１７および鞘状ピストン部材１８などを収容する鞘状保持部
３４ａ    孔部３３ｂに対応する底面中央部から放射状に形成された内容物通過用の複数の横溝状部
３５    筒状部分３３ａに取り付けられた内容物通過用のチューブ
４１    筒状保持部３３と筒状案内部３２との間に設定される外側通路用環状空間域
４２    筒状案内部３２の出力側開口部３２ｂから筒状ピストン部材１７の孔部１７ｂにいたる内側通路用環状空間域
４３    筒状案内部３２の出力側開口部３２ｂに続く態様で筒状ピストン部材１７および鞘状ピストン部材１８と当該筒状案内部との間に設定される第１のバッファ用環状空間域
４３ａ    筒状ピストン部材１７の第１の環状スカート部１７ａの内側部分を形成するポケット域
４３ｂ    鞘状ピストン部材１８の環状スカート部１８ａの内側部分を形成するポケット域
４４    内側通路用環状空間域４２に続く態様で筒状案内部３２と筒状ピストン部材１７との間に設定される第２のバッファ用環状空間域
【００３３】
以下の説明では、必要に応じて、筒状ピストン部材１７と鞘状ピストン部材１８との一体物を単に「ピストン部材１７，１８」と表現する。
【発明を実施するための最良の形態】
【００３４】
本発明の基本的な特徴は、容器内部の内容物噴射用ガスの圧力が変化した場合にも単位時間あたりの内容物噴射量を略一定にするための流量レギュレータをユニット化したことである。【００３５】
すなわち、流量レギュレータを、エアゾール式製品における操作ボタンの筐体やステム収納用のハウジングなどから独立したユニット構造のものとして、各種デザインの操作ボタン筐体や、ハウジングにいわばアダプタの形でセットできるようにしている。【００３６】
なお、以下の説明では上記特許文献２の流量調整機構タイプが前提となっているが、本発明がこれに限られることなく、上記特許文献１などの各種流量調整機構に適用できることは勿論である。
【実施例１】
【００３７】
図１〜図３の操作ボタン用の流量レギュレータユニットの構成要素は、少なくとも、
・外側鞘状部１５
・内側鞘状部１６
・筒状ピストン部材１７
・鞘状ピストン部材１８
・コイルスプリング２５
の５個である。なお、噴射用ピース１９を当該構成要素に含めてもよい。【００３８】
ピストン部材１７，１８の移動態様は、内容物噴射用ガスの圧力とコイルスプリング２５の弾性力との相対的な大小関係に基づいて制御される。そのメカニズムの原理自体は、上記公開公報での開示内容と同じである。【００３９】
外側鞘状部１５，内側鞘状部１６，筒状ピストン部材１７，鞘状ピストン部材１８および噴射用ピース１９などの材質は、ナイロン，ポリアセタール，ポリエチレン，ポリプロピレン，ポリエチレンテレフタレート，ポリブエチレンテレフタレートなどである。【００４０】
ボタン用の流量レギュレータユニットの組み立て手順は、例えば、
(61)筒状ピストン部材１７と鞘状ピストン部材１８とを嵌合させて第１の一体物とし、
(62)噴射用ピース１９を内側鞘状部１６に嵌合させて第２の一体物とし、
(63)第２の一体物を、第１の一体物およびコイルスプリング２５を図示のように収納した状態で外側鞘状部１５に嵌合させる、
ようにすればよい。【００４１】
なお、噴射用ピース１９は、内側鞘状部１６と外側鞘状部１５とを、第１の一体物およびコイルスプリング２５を図示のように収納した状態で一体化してから、最後に当該内側鞘状部に嵌合させてもよい。【００４２】
この組み立て後の流量レギュレータユニットを筐体１１にその下方から挿入して、操作ボタンを作成する。この操作ボタンはステム１４に取り付けられる。【００４３】
図１〜図３のエアゾール容器の内容物噴射用通路は、概略、「容器本体１２−ステム１４−孔部１５ａ−外側通路用環状空間域２１−調整用孔部１６ａ−出力側開口部１６ｂ−内側通路用環状空間域２２−孔部１７ｂ−孔部１８ｂ−内部通路１８ｃ−弁作用域２０−貫通部１６ｄ−環状凹部１６ｅの後方部分（＝噴射用ピース１９が入っていない空間域）−溝状部１６ｆ−溝状部１６ｆの下流側先端部と溝状部１９ａとの間の空間域−溝状部１９ａ−凹状部１９ｂ−噴射孔１９ｃ」となる。【００４４】
図１〜図３の流量レギュレータユニットは操作ボタンの筐体１１からいわば独立した構造になっているので、ユニット単位で管理し、試験することができる。また、このユニット構造とのインタフェース部分を持つ各種デザインの筐体に適用可能である。【００４５】
以下、図１〜図３の流量レギュレータユニットの動作を説明する。【００４６】
静止モードでは、ピストン部材１７，１８がコイルスプリング２５によって前方に移動して内側鞘状部１６の受け部１６ｃに当接し、両者間の弁作用域２０は閉状態になっている。【００４７】
このとき、第１の環状スカート部１７ａは調整用孔部１６ａの前側縁部に当接し、当該孔部の出力側開口部１６ｂは筒状ピストン部材１７の孔部１７ｂに連通している。すなわち、当該出力側開口部との間の内側通路用環状空間域２２の流入用断面積はいわばＭＡＸ状態になっている。【００４８】
操作ボタン（筐体１１）を押圧した作動モードでは、ステム１４の弁（図示省略）が開いて容器本体１２の内容物が上記噴射用通路により外部空間に出力される。【００４９】
このときの内容物は第１，第２のバッファ用環状空間域２３，２４にも流入するが、それぞれの空間域は環状スカート部１８ａ，１７ｃによってシールされており、この流入内容物が外部に漏れることはない。【００５０】
また、調整用孔部１６ａに入ってくる内容物は第１の環状スカート部１７ａの外周面に当たるので、当該スカート部がこの流入内容物のエネルギーで内側鞘状部１６の内周面の方に押圧されることはない。【００５１】
作動モードのピストン部材１７，１８は、調整用孔部１６ａから流入した内容物の噴射用ガス圧力によって全体として後方（図示右方向）への力を受ける。当該後方への力の主たる作用面は筒状ピストン部材１７，鞘状ピストン部材１８の各底面部分、および第２のバッファ用環状空間域２４に接する当該筒状ピストン部材の図示上下方向の表面部分である。【００５２】
この後方への力がコイルスプリング２５の付勢力よりも強くなると、ピストン部材１７，１８は後方に移動して弁作用域２０が開状態となる。【００５３】
そして、筒状ピストン部材１７（第１の環状スカート部１７ａ）が後方に移動して出力側開口部１６ｂの内側通路用環状空間域２２への流入用断面積が小さくなり、さらには当該出力側開口部が閉状態になると、調整用孔部１６ａからの流入内容物の量が減ってその噴射用ガス圧力も小さくなり、コイルスプリング２５の付勢力の方が勝ってくる。【００５４】
その結果、ピストン部材１７，１８は前方へ戻って当該流入用断面積が広い初期状態に移行しようとする。このとき、当該ピストン部材が内側鞘状部１６の受け部１６ｃに当接する（弁作用域２０が閉じる）まで前進するとは限らない。【００５５】
容器本体２１の内容物は、このようなピストン部材１７，１８の前後方向への往復動作を繰り返しながら、上記通路により外部空間に噴射される。【００５６】
このときのピストン部材１７，１８の後方への移動所要時間が噴射用ガス圧力に大きさに応じて変化し、これにより内容物の流量調整を行っている。【００５７】
また、図３に示すように、調整用孔部１６ａの出力側開口部１６ｂは後方向に細長で、かつ後方向にいくほど幅狭となるように形成されている。【００５８】
そのため、外側通路用環状空間域２１から調整用孔部１６ａに流入する内容物はその出力側開口部１６ｂを通過することにより層流状態となって鞘状ピストン部材１８の孔部１８ｂへと進み、ピストン部材１７，１８の後方向への移動応答性がよくなる。【００５９】
なお、調整用孔部１６ａの個数・形成位置、また図１の静止モードや図２の作動モード（でピストン部材１７，１８が最も後退した状態）における第１の環状スカート部１７ａの前端部分の設定位置は、作動モードの内容物が当該調整用孔部からピストン部材１７，１８の孔部１７ｂ，１８ｂに流入できるという条件の下で、任意である。【００６０】
例えば、静止モードや作動モード（でピストン部材１７，１８が最も後退した状態）においても、第１の環状スカート部１７ａの前端部分が内側鞘状部１６の出力側開口部１６ｂに対向するようにしてもよい。【００６１】
この実施例１において、外側鞘状部１５，内側鞘状部１６，筒状ピストン部材１７，鞘状ピストン部材１８，コイルスプリング２５および噴射用ピース１９からなるユニットを（筐体１１に取り付けることなしに）そのままステム１４にセットして、当該ユニット自体を操作ボタンとすることもできる。【００６２】
なお、コイルスプリング２５に代えて各種タイプのスプリングや板バネなどの任意の弾性部材を用いてもよい。
【実施例２】
【００６３】
図４，図５のハウジング用の流量レギュレータユニットの構成要素は、
・筒状ピストン部材１７
・鞘状ピストン部材１８
・コイルスプリング２５
・筒状案内部３２
・筒状保持部３３
・鞘状保持部３４
の６個である。【００６４】
ここで、筒状ピストン部材１７，鞘状ピストン部材１８およびコイルスプリング２５はそれぞれ図１〜図３の操作ボタン用の流量レギュレータユニットの構成要素と同じものである。【００６５】
その他の構成要素は例えば、
(71)筒状案内部３２が内側鞘状部１６に対応し、
(72)凸状段部３２ｃが受け部１６ｃに対応し、
(73)「筒状保持部３３＋鞘状保持部３４」または「鞘状保持部３４」が外側鞘状部１５に対応し、
(74)筒状案内部３２の調整用孔部３２ａが内側鞘状部１６の調整用孔部１６ａに対応し、
(75)筒状保持部３３の内容物通過用孔部３３ｂが外側鞘状部１５の内容物通過用孔部１５ａに対応し、
(76)図４，図５の４１〜４４の各構成要素が図１，図２，図３の２１〜２４の各構成要素に対応している。【００６６】
もっとも筒状案内部３２の凸状段部３２ｃが受け部１６ｃのような弁作用を呈しないのは勿論である。【００６７】
これらの対応関係の下、図１〜図３の操作ボタン用の流量レギュレータユニットについての上記動作説明は図４，図５のハウジング用のそれにも当てはまる。【００６８】
また、ピストン部材１７，１８の移動態様の原理自体も、上述したように上記公開公報での開示内容と同じである。【００６９】
筒状ピストン部材１７，鞘状ピストン部材１８，筒状案内部３２，筒状保持部３３および鞘状保持部３４の材質は、ナイロン，ポリアセタール，ポリエチレン，ポリプロピレン，ポリエチレンテレフタレート，ポリブエチレンテレフタレートなどである。【００７０】
図４，図５のハウジング用の流量レギュレータユニットの組み立て手順は、例えば、
(81)筒状ピストン部材１７と鞘状ピストン部材１８とを嵌合させて第３の一体物とし、
(82)筒状案内部３２と鞘状保持部３４とを、第３の一体物およびコイルスプリング２５を図示のように収納した状態で嵌合させて、第４の一体物とし、
(83)この第４の一体物を筒状保持部３３にその上方から挿入して両者を嵌合させる、
ようにすればよい。【００７１】
この組み立て後の流量レギュレータユニットは、その筒状案内部３２がハウジング３１の筒状部分３１ａに嵌合状態で取り付けられ、また、その筒状部分３３ａにはチューブ３５が取り付けられる。【００７２】
これにより、チューブ３５とハウジング３１との間に流量レギュレータユニットがセットされる。【００７３】
図４，図５における内容物噴射用通路は、概略、「容器本体１２−チューブ３５−孔部３３ｂ−横溝状部３４ａ−当該横溝状部の下流側先端部と縦リブ３３ｃとの間の空間域−縦リブ３３ｃ間の溝状部−外側通路用環状空間域４１−調整用孔部３２ａ−出力側開口部３２ｂ−内側通路用環状空間域４２−孔部１７ｂ−孔部１８ｂ−内部通路域１８ｃ−中央貫通域３２ｃ−筒状部分３１ａ」となる。【００７４】
ハウジング用の流量レギュレータユニットの場合、図１〜図３で用いた弁作用域２０などは不要である。そのため、流量調整作用が生じないような噴射用ガス圧力においても通常の内容物噴射が可能である。【００７５】
また、コイルスプリング２５が入っているエア空間域を大きくすることにより、エア圧縮荷重がスプリング荷重に及ぼす影響を極力小さくしている。すなわち、流量調整作用への影響の減少化を図っている。【００７６】
図４，図５の流量レギュレータユニットは容器内部のハウジングからいわば独立した構造になっているので、ユニット単位で管理し、試験することができる。また、このユニット構造とのインタフェース部分を持つ各種ハウジングに適用可能である。
【実施例３】
【００７７】
以上の流量レギュレータユニットを備えたエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。【００７８】
容器本体に収納する内容物は、例えば、粉状物，油成分，アルコール類，界面活性剤，高分子化合物，各用途に応じた有効成分などである。【００７９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。【００８０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。【００８１】
アルコール類としては、エタノールなどの１価の低級アルコール，ラウリルアルコールなどの１価の高級アルコール，エチレングリコールなどの多価アルコールなどを用いる。【００８２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。【００８３】
高分子化合物としては、メチルセルロース，ゼラチン，デンプン，カゼインなどを用いる。【００８４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。【００８５】
さらに、上記内容物以外の、懸濁剤，紫外線吸収剤，乳化剤，保湿剤，酸化防止剤、金属イオン封鎖剤なども用いることができる。【００８６】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図１】
2007034564.tif 000002
【図２】
2007034564.tif 000003
【図３】
2007034564.tif 000004
【図４】
2007034564.tif 000005
【図５】
2007034564.tif 000006
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
（削除）
【請求項２】
内容物通路を備え、エアゾール容器からの内容物噴射用ガスの圧力に基づいて移動するピストン部材と、
前記ピストン部材を収納して当該部材が移動できる内部空間，エアゾール容器の内容物を当該ピストン部材との間の流量調整用空間域に流入させるための孔部，当該ピストン部材に対する受け部分および、操作ボタンと連動するステムへの取付け部分を備え、かつ、当該操作ボタンの筐体部分とは別部材の態様で形成された保持部と、
前記ピストン部材と前記受け部分との間に設定されて当該ピストン部材を所定方向に付勢する弾性部材とを有し、
全体が前記筐体部分から独立した形のユニット構造で、当該筐体部分および前記ステムに取り付けて使用される、
ことを特徴とする流量レギュレータユニット。
【請求項３】
内容物通路を備え、エアゾール容器からの内容物噴射用ガスの圧力に基づいて移動するピストン部材と、
前記ピストン部材を収納して当該部材が移動できる内部空間，エアゾール容器の内容物を当該ピストン部材との間の流量調整用空間域に流入させるための孔部，当該ピストン部材に対する受け部分および、前記エアゾール容器に固定されてステムを収容するハウジングへの取付け部分を備えた保持部と、
前記ピストン部材と前記受け部分との間に設定されて当該ピストン部材を所定方向に付勢する弾性部材とを有し、
全体が前記ハウジングから独立した形のユニット構造で、当該ハウジングに取付けて使用される、
ことを特徴とする流量レギュレータユニット。
【請求項４】
請求の範囲２または３記載の流量レギュレータユニットを備え、かつ、噴射用ガスおよび内容物を収容したエアゾール式製品。
【国際調査報告】
2007034564.tif 000007
2007034564.tif 000008